(57)【特許請求の範囲】
【請求項１】
屈曲自在のマットレス又はマットレス載置台を備えて背面を起伏自在とするベッドのマットレス頭部に被せる袋状のカバーと、このカバーの頭部側に位置してシーツ類の上端を係着する係着部とを備え、該係着部をカバーの幅方向に沿って複数並列させるとともに、ベッドのマットレス背面又はマットレス載置台に結着することにより、マットレス背面を起こした際に、係着部及びカバーを介してシーツ類の上端を、ベッドのマットレス背面又はマットレス載置台に固定する索状又は帯状の結着部材をカバーの背面側に複数設けることを特徴とするシーツ類固定具。
【請求項２】
係着部は、マットレス頭部側の側面に位置するよう前記カバーに設ける請求項１記載のシーツ類固定具。
【請求項３】
係着部は、カバーの幅方向に沿って配するとともに複数重ね合わせてその下端をカバーに固定する布片に設ける請求項１または請求項２記載のシーツ類固定具。
【請求項４】
前記布片の係着部に沿って補強部を設けるとともに、下層の布片に設ける補強部を、上層の布片に設ける補強部よりも上端寄りに位置付ける請求項３記載のシーツ類固定具。
【請求項５】
前記布片をカバーに対して着脱自在とする請求項３または請求項４記載のシーツ類固定具。
【請求項６】
係着部に対してシーツ類を係着させる安全ピンの針が貫通しないシート体を、係着部の下面を覆うようにカバーに設ける請求項１ないし請求項５のいずれかに記載のシーツ類固定具。
【請求項７】
請求項１ないし請求項６のいずれかに記載のシーツ類固定具と、シーツ類とからなり、シーツ類の上端に、前記係着部と互いに係着する被係着部を設ける寝具。
【発明の詳細な説明】
【技術分野】
【０００１】
本発明は、屈曲自在のマットレス載置台を備えて背面を起伏自在とするベッドのマットレス上に配置するシーツ類のずれを防止するためのシーツ類固定具、および、このシーツ類固定具を用いた寝具に関するものである。
【背景技術】
【０００２】
従来、寝たきりの病人等が快適に過ごしやすく、また介護を容易にするため、背面を起伏自在としたベッドが広く使用されている。そしてこのようなベッドのマットレスにシーツをかける際には、通常の一枚もののシーツをマットレス上にそのまま広げて用いるか、或はこのシーツをマットレスの下側に敷き込んで用いている。
【０００３】
シーツを衛生的に保つためには、汚れたシーツを頻繁に交換して洗う必要があるが、このようなシーツを洗う場合には、上下の部分が余り汚れていなくとも全部を取り外し一枚をまるまる洗わなければならなかった。このことにより、介護者はシーツ交換のたびに大きな負担を強いられていた。
【０００４】
また、長期間寝たきりの病人等にとって床ずれは深刻な問題であるところ、シーツのしわによる摩擦が床ずれの大きな原因として挙げられている。背面が起伏自在の介護用のベッドは、マットレスごと屈曲することができるように構成されており、シーツにしわが寄り易い状況にある。
【０００５】
そのため、寝たきりの病人等の寝ているマットレスよりシーツを取り外して交換する際には、その都度、しわの寄らないようにシーツを装着するよう配慮しなければならず、介護者にとってシーツ交換の負担が更に大きなものとなっていた。
【０００６】
このようなものに対して、マットや布団への敷設時或は使用中にしわが寄るのを極力防ぐことができる上に、洗濯や敷設及び取り外しがし易い介護用シーツが、以下の文献において提案されている（例えば特許文献１参照）。
【特許文献１】特開平０８−１５４７８４号公報
【０００７】
これは図７に示すように、介護シーツ４を互いに分離可能な上部体１、中間体２及び下部体３で構成し、上部体１と下部体３とをマット６の上部と下部に嵌める袋状のもので構成すると共に、中間体２は上部体と下部体の上面と重なり合う長さとマット６の両側部に敷き込む幅を持つものとし、この中間体２と上部体１及び下部体３を相互に面ファスナー１ｂ、２ａ及び３ａ、２ｂで係着させるように構成したものである。なお、上部体１は下側に延長帯１ａを延設してある。
【０００８】
この介護シーツ４を装着する際には、ベッド５上に載置したマット６上にマットパット７を重ね、その下部側にマットパット７ごと下部体３を嵌着し、上部側に同じくマットパット７ごと上部体１を嵌着した後で、中間体２を敷設し、面ファスナー２ａ、２ｂを上部体１と下部体３の面ファスナー１ｂ及び面ファスナー３ａと係着させる。次いで、上部体１の延長帯１ａを下部側へ引っ張って中間体２の両側部をマット６の下側へ敷き込み、延長帯１ａとベッド５の上面との間の摩擦により、介護シーツ４の縦方向のずれを防止し、縦じわが寄らないようにする。
【０００９】
中間体２のみを取り換える場合には、まず、中間体２の両側部をマット６の下側より取り出し、面ファスナー２ａ、２ｂによる面ファスナー１ｂと面ファスナー３ａに対する係着を離すことによって分離が可能となる。上部体１や下部体３がまだきれいな場合には、この中間体２のみを洗濯する。
【発明の開示】
【発明が解決しようとする課題】
【００１０】
しかし、このような介護シーツを用いても、シーツを汚すたびに汚れたシーツを取り外し、新しいシーツを取り付けるといった作業が必要となることには変りがなく、シーツ交換の負担はあまり減少していない。また、背面が起伏自在のベッドの場合、背面を起こした状態とした際に、病人等の上半身の体重によりシーツが頭側から腰側へと引っ張られるが、特に病人が体重の重い成人である場合には、上部体に設けた延在帯とベッドとの摩擦力だけでシーツを支えることは困難であり、上部体ごとシーツがずれてしまう可能性がある。
【００１１】
また、病人等が食べ物や排泄物をこぼした場合に、これらがシーツの下まで浸透してベッドを汚してしまわないよう、シーツの下にパット等の防水シートを敷くことが一般的であるが、このようにパットを敷いた場合には、ベッドの背面を起こした際にシーツの縦方向の寄りは防止できても、パットは何ら固定されていないためパットの寄りは防止できず、シーツの下で寄ったパットの凹凸が床ずれの原因となってしまう。すなわち、最上層に位置するシーツの寄りは防止できるものの、パットを含めた複数のシーツ類全ての寄りを防ぐことはできない。
【００１２】
また、病人等が特に寝たきりである場合には、ベッドの背面の起伏によりシーツが縦方向にずれやすくなるものの、寝返りを打つなどして動くことはほとんどないため、シーツが横方向にずれることはないが、前記特許文献１に記載の構成によると、シーツの下側も固定するようにするため、構造的に無駄が多く、その分余計に作成に手間がかかる。
【００１３】
また、介護シーツの中間体は頻繁に交換するものであるため、多くの枚数を必要とするが、この中間体も、上部体及び下部体とのサイズの関係や係着部分の位置関係に合わせて作成する必要があり、中間体を１枚作成する毎に多くの手間がかかることとなる。
【００１４】
本発明の目的は前記従来例の不都合を解消し、背面が起伏自在のベッドのマットレスに取付ける複数のシーツ類にしわが寄りにくくするとともに、従来に比べてより確実にシーツ類の寄りを防いで床ずれを防止でき、更に、従来に比べて介護者のシーツ類の交換の負担をより軽減できるとともに、市販のシーツ類を使用することができて作成の手間が少なく済むシーツ類固定具、及び、このシーツ類固定具を用いた寝具を提供することにある。
【課題を解決するための手段】
【００１５】
本発明は前記目的を達成するため、請求項１記載の発明は、屈曲自在のマットレス又はマットレス載置台を備えて背面を起伏自在とするベッドのマットレス頭部に被せる袋状のカバーと、このカバーの頭部側に位置してシーツ類の上端を係着する係着部とを備え、該係着部をカバーの幅方向に沿って複数並列させるとともに、ベッドのマットレス背面又はマットレス載置台に結着することにより、マットレス背面を起こした際に、係着部及びカバーを介してシーツ類の上端を、ベッドのマットレス背面又はマットレス載置台に固定する索状又は帯状の結着部材をカバーの背面側に複数設けることを要旨とするものである。
【００１６】
請求項１記載の本発明によれば、背面が起伏自在のベッドのマットレス頭部に被せる袋状のカバーの頭部側に、シーツ類の上端を係着する係着部を複数設けるようにしたから、係着部にその枚数分だけ予めシーツ類を取り付けてシーツ類を積層した状態としておけば、シーツ類の交換の際には上層のシーツ類を外すだけで済み、シーツ類の交換の度にシーツ類をマットレスに取り付ける必要がない。なお、シーツ類には、吸水性を有して直接病人等の肌に触れるシーツの他、敷きパッドなどの防水シートも含まれ、シーツの下に更に防水シートも敷いた状態で係着部に取り付けて、シーツも防水シートも固定することができる。
【００１７】
そして、係着部を複数設けたことにより、これら複数のシーツ類は、係着部を介してマットレス頭部に被せる袋状のカバーによりマットレスに固定されるとともに、ベッドの背面又はマットレス載置台に対してカバーを固定する結着部材によりしっかりとベッド側に固定されるから、ベッドの背面を起こした状態でも、従来に比べて縦方向の寄りをより確実に防止することができ、複数のシーツ類を取り付けた状態でも、これらのシーツ類が位置ずれしてしわになることがない。なお、結着部材を複数設けたから、網状や桟状など、各種の形状のマットレス載置台に対応して、適当な個所に結着することができるし、ベッドの枠等にも結着することができる。
【００１８】
また、本発明のシーツ類固定具は、マットレス頭部に被せるカバーに設ける係着部でシーツ類の上端を固定するのみの構成としたから、シーツ類の下側まで固定するような部材を必要とせず、作成の手間が少なくて済む。そして、シーツ類はその上端を、マットレス頭部に被せるカバーに設ける係着部で固定するのみであるから、特に大きさや形状を変えることなく、通常の大きさの１枚ものの市販のシーツ類をそのまま使用することができ、余分な手間をかけて別途シーツ類を作成する必要が無い。
【００１９】
請求項２記載の発明は、係着部は、マットレス頭部側の側面に位置するよう前記カバーに設けることを要旨とするものである。
【００２０】
請求項２記載の本発明によれば、係着部をマットレス頭部側の側面に位置するようにしたから、複数のシーツ類の上端を係着して嵩張りがちとなる係着部が病人等の頭に当ることが無く、病人等に不快感を与えることが無い。
【００２１】
請求項３記載の発明は、係着部は、カバーの幅方向に沿って配するとともに複数重ね合わせてその下端をカバーに固定する布片に設けることを要旨とするものである。
【００２２】
請求項３記載の本発明によれば、カバーの幅方向に沿って配するとともに複数重ね合わせてその下端をカバーに固定する布片に係着部を設けるようにしたから、係着部を多数設ける場合であっても、係着部を互いに重ね合わせてコンパクトにすることができる。
【００２３】
請求項４記載の発明は、前記布片の係着部に沿って補強部を設けるとともに、下層の布片に設ける補強部を、上層の布片に設ける補強部よりも上端寄りに位置付けることを要旨とするものである。
【００２４】
請求項４記載の本発明によれば、係着部の幅方向に沿って補強部を設けたから、ベッドの背面を起こした際、シーツ類を介して病人等の荷重が係着部にかかっても、補強部によって係着部の破損を防ぐことができる。特に、係着部とシーツ類とを安全ピンを用いて係着する場合には、安全ピンを留めた個所に荷重が集中するが、補強部により荷重の集中個所の破損を効果的に防止することができる。
【００２５】
また、下層の布片に設ける補強部を、上層の布片に設ける補強部よりも上端寄りに位置付けることにより、上下に重なり合う係着部の補強部の位置をずらすことができるから、補強部同士が上下で重なり合ってその部分が嵩高くなってしまうことがない。また、下層の係着部にシーツ類を取り付ける際には、上層の係着部が上から覆い被さって作業の邪魔となりやすいが、下層の布片の補強部は上層の布片の補強部よりも上端寄りに位置するから、下層の係着部にシーツ類を取り付ける際、補強部付近の位置が作業者（介護者）にとって比較的手前側となり、作業性が良い。
【００２６】
請求項５記載の発明は、前記布片をカバーに対して着脱自在とすることを要旨とするものである。
【００２７】
請求項５記載の本発明によれば、布片をカバーに対して着脱自在としたから、カバーに比べると汚れる頻度が高いと考えられる布片をカバーから分離して、布片だけを洗濯することができ、洗濯物の量を減らして、介護者の洗濯の負担を軽減することができる。
【００２８】
請求項６記載の発明は、係着部に対してシーツ類を係着させる安全ピンの針が貫通しないシート体を、係着部の下面を覆うようにカバーに設けることを要旨とするものである。
【００２９】
請求項６記載の本発明によれば、マットレスとともに又はマットレスに替えて、床ずれ防止に有効とされるエアマットを使用する場合であって、安全ピンを使用して係着部にシーツ類を係着するばあいであっても、安全ピンの針が貫通しないシート体が係着部の下面を覆って、安全ピンがエアマットに刺さってエアマットを破損してしまうことを防止することができる。
【００３０】
請求項７記載の発明は、請求項１ないし請求項６のいずれかに記載のシーツ類固定具と、シーツ類とからなり、シーツ類の上端に、前記係着部と互いに係着する被係着部を設けることを要旨とするものである。
【００３１】
請求項７記載の本発明によれば、請求項１ないし請求項６のいずれかに記載のシーツ類固定具を作成するとともに、市販のシーツ類の上端に簡単に手を加えるだけで、前記請求項１ないし請求項６の発明の効果と同様の優れた効果が得られる。
【発明の効果】
【００３２】
本発明のシーツ類固定具およびこのシーツ類固定具を用いた寝具は、背面が起伏自在のベッドのマットレスに取り付ける複数のシーツ類にしわが寄りにくくするとともに、従来に比べてより確実にシーツ類の寄りを防いで床ずれを防止でき、更に、従来に比べて介護者のシーツ類の交換の負担をより軽減できるとともに、市販のシーツ類を使用することができて作成の手間が少なく済む。
【発明を実施するための最良の形態】
【００３３】
以下、図面について本発明の実施形態を詳細に説明する。図１は本発明のシーツ類固定具の１実施形態を示す全体斜視図である。シーツ類固定具は、マットレスの頭部に被せる袋状のカバー１０と、カバー１０の頭部側の側面に取り付ける布片１１と、カバー１０の背面下側に取り付けてカバー１０と後述のマットレス載置台とを固定する結着部材１２と、布片１１上面を覆うようにカバー１０に取り付ける覆い布１６とで構成する。また、布片１１の下面を覆うように位置するシート体１４と、シート体１４を収納するシート体保持袋１５とを備える。
【００３４】
シーツ類固定具は、シート体１４及び結着部材１２を除いて全体として肌触りの良い木綿などの布製であり、カバー１０をマットレスの頭部に被せ易くするとともにフィットさせるため、カバー１０の開口部１０ａ付近の側面には、伸び縮み可能なギャザー部１７を設けてその裏面にゴムを縫い付ける。なお、この他にも、トリコットやオペコットのような伸縮可能な布地でカバー１０の側面を構成するようにして、カバー１０の開口部１０ａ付近の伸縮性を確保するようにしても良い。
【００３５】
布片１１は安全ピンが貫通可能であるとともに、安全ピンを介してシーツ類を保持できるよう、ある程度丈夫な布である帆布により構成し、カバー１０の幅方向に沿って設ける。このような布としては、帆布の他、例えば綿織物を２枚重ねにしたものや、薄手のデニム生地等が使用可能である。このような布片１１を複数枚重ね合わせた状態で、その下端をカバー１０の頭部側に縫い付けて固定する。
【００３６】
なお、本実施例においては布片１１を４枚設ける構成とするものの、布片１１の枚数はこれに限らず、複数であれば何枚でも構わない。しかし、後述のように、シーツと防水シートとを併用してマットレスへの水漏れを確実に防ぐためには、４枚以上であることが好ましい。
【００３７】
また、布片１１の取り付け位置は、カバー１０の頭部側であり、例えばカバー１０の上面（図中手前側の面）の頭部側に設けることも可能であるが、シーツ類固定具をマットレスに装着した際、布片１１が病人等の頭に当らないよう、できるだけカバー１０の頭部側の端寄りに設けることが望ましく、本実施例のように、カバー１０の頭部側の側面に設けるのが最も良い。
【００３８】
また、布片１１の幅方向に沿って厚手の布を縫い付けて補強部１３とする。このように幅方向に沿って細長く配置する厚手の布としては、例えば、綿とレーヨンの混紡の真田紐などを使用することができる。そして補強部１３の位置よりも、わずかに下端寄りの布片の部分が、安全ピンを留める個所である係着部２８となる。すなわち、係着部２８はカバー１０の幅方向に沿って設けられるとともに、互いに重なる布片１１上に位置することによって複数並列した状態となり、補強部１３は係着部２８に沿って設けられることとなる。
【００３９】
各布片１１の補強部１３の位置関係は、図３に示すように、下層に位置する布片１１の補強部１３ほど、上端（図中右側）に設けるようにする。例えば、最上層の布片１１の補強部１３ａよりも、その下側の布片１１の補強部１３ｂを、上側に設けるようにする。このように補強部１３を設ける位置を互いにずらすことにより、布片１１を重ね合わせた際、補強部１３同士が重なり合ってその部分が嵩張ってしまうことがない。
【００４０】
再び図１に示すように、シート体１４は布片１１の特に係着部２８下側全面を覆うよう、シート体保持袋１５に挿入して保持するポリプロピレン製シートであり、安全ピンが貫通せず、適度な可撓性を実現できるよう０．５〜１．０ｍｍ程度の厚みとする。なお、シート体１４の材質はポリプロピレン等のプラスチックに限定されず、安全ピンの針を通さないものであれば、例えば他の合成樹脂板や金属板であっても良いが、シーツ類固定具の収納時に幅方向に丸め易いよう、可撓性を有する材質で構成することが好ましい。
【００４１】
結着部材１２は面ファスナーであり、輪にして留めることができるよう、雌雄面ファスナーを組み合わせて、カバー１０の背面に幅方向に沿って約１０〜１５ｃｍ間隔で縫い付けて取り付ける。
【００４２】
次に、使用方法について図２を参照して説明する。図２は、背面が起伏自在のベッドのマットレス載置台１８の背面を起こした状態での、シーツ類固定具の使用状態を一部省略して示す縦断側面図である。
【００４３】
背面が起伏自在のベッドそのものの図は省略するが、このようなベッドは一般的に図に示すように、マットレス載置台１８を中央部付近で折り曲げて、腰から上の部分を起こすことができるように構成するものであり、マットレスの通気性を確保できるよう、桟状又は網状に構成する。なお、本実施例ではマットレス載置台の形状は網状（格子状）であり、背面が起伏する機構についての説明は省略する。
【００４４】
このようなベッドのマットレス載置台１８に載置したマットレス１９の頭部に、シーツ類固定具のカバー１０を被せる。そして、マットレス載置台１８の網目１８ａに結着部材１２を通して、シーツ類固定具をマットレス載置台１８に固定する。
【００４５】
なお、結着部材１２はマットレス載置台１８に固定できるものであれば、帯状の面ファスナーに限られず、例えば紐などの索状で構成し、マットレス載置台１８の網目１８ａに通して結びつけるようにしても良いし、フックでも良い。また、マットレス載置台１８が適当な個所に網目１８ａを有さない場合や、マットレス１９そのものがリクライニング機構を有して屈曲自在に構成されており、マットレス載置台１８が起伏しない場合などには、マットレス載置台１８の枠やベッドの頭部側の柵など、マットレス１９の背面で固定できる個所に、結着部材１２を固定する。
【００４６】
シーツ類固定具にシーツ類を取り付ける方法は図３に示すように、布片１１上にシーツ２０や防水シート２１等のシーツ類を重ね合わせ、補強部１３よりも僅かに下の位置の係着部２８で安全ピン２２により、係着部２８とシーツ類とを固定する。例えば、長さ５ｃｍ程度の安全ピン２２を、幅方向に約１０ｃｍ間隔で取り付ける。特に、ベッド上の病人等の体重がかかりやすい中央部付近は、１０ｃｍ以下の間隔で安全ピン２２を取り付ける。
【００４７】
なお、補強部１３を、安全ピン２２が貫通可能な布により構成した場合には、補強部１３上に安全ピン２２を留めてシーツ類を取り付けるようにしても良い。この場合、補強部１３は係着部２８に重ね合わせた状態で、係着部２８に沿って設けることとなる。
【００４８】
このとき、係着部２８を設ける布片１１は下端が縫い付けて固定されており、一方、補強部１３は下層に位置するものほど上端寄りに設けるようにしたから、介護者がシーツ類の取り付け作業を行う際には、下層の布片１１の補強部１３ほど布片１１の縫い付け位置である下端から離れて介護者の手前側に位置することとなり、上から多くの布片１１が重なる場合であっても、シーツ類の取り付け作業がし易くなる。
【００４９】
また、図３に示すように、ベッド上に横たわる病人等の体への衝撃を軽減して床ずれを防止するため、マットレス１９上に更にエアマット２３を載置する場合であっても、係着部２８の下面にはシート体１４が位置して安全ピン２２の針の貫通を防止するから、安全ピン２２を使用しても、エアマット２３を傷つけたり破損したりすることを防止することができる。
【００５０】
このようにして、シーツ類を係着部２８に取り付け終えたら、覆い布１６を上から被せて、安全ピン２２を覆い隠す。
【００５１】
このようにして係着部２８に取り付けたシーツ２０や防水シート２１等のシーツ類は、図２に示すように、ベッドの背面を起こした状態にしても、係着部２８を介してカバー１０によってマットレス１９の頭部側に保持された状態となるから、いずれのシーツ２０及び防水シート２１も重力方向にずれ下がってしわになることがない。
【００５２】
また、カバー１０は結着部材１２によってマットレス載置台１８に固定されているから、ベッド上に病人等が乗った状態でシーツ類に病人等の体重がかかったとしても、その荷重によってシーツ類がずれるのをより確実に防ぐことができる。
【００５３】
そしてシーツ類が汚れたら、介護者は上層に位置するシーツ類から順に、安全ピン２２を外して取り外すことができる。上層のシーツ類を取り外しても、その下には更にシーツ類があるから、必要とするシーツ類を全て取り外してしまうまでは、新しいシーツを取り付ける必要がない。このため、シーツ類が汚れる度にシーツ類の取り外しと取り付けとを同時に行う必要がなく、介護者のシーツ交換の負担を減少させることができる。
【００５４】
なお、シーツ類は吸水性のあるシーツ２０や防水シート２１を自由に組み合わせて使用することができるが、防水シート２１の種類によっては、尿失禁などの多量の水分を完全に止めることができない場合もあるので、本実施例においてはこれを２枚重ねて使用した。また、その上に配置するシーツ２０も、交換の手間を少なくするため、２枚使用した。このため、使用するシーツ類の合計は４枚となり、係着部２８は４つ以上であることが好ましい。
【００５５】
なお、以上説明した構成の他、図４に示すように、複数重ね合わせて下端を縫い合わせた布片１１とカバー１０とを別途作成し、これらを互いに着脱可能としても良い。例えば、カバー１０の頭部側の側面と、布片１１の下端の縫い合わせ部分とに、互いに幅方向の位置をずらすようにして輪２４ａ、２４ｂを取り付ける。これらの輪２４ａ、２４ｂは、例えば幅１５ｍｍ程度のポリエステル製布テープを輪にして、輪の綴じ口をカバー１０の上端及び布片１１の上端に縫い付けて構成する。
【００５６】
そして杆体２５を、カバー１０側の輪２４ａと布片１１側の輪２４ｂとに交互に通すことにより、カバー１０に布片１１を装着する。なお、この場合、覆い布１６は布片１１に加えて杆体２５をも覆い隠せるよう、カバー１０側に縫い付けて設けることが好ましい。
【００５７】
逆に、杆体２５を輪２４ａ、２４ｂから引き抜けば、カバー１０から布片１１を容易に取り外すことができる。そして、カバー１０に比べると汚れる頻度が高いと考えられる布片１１をカバー１０から分離して、布片１１だけを洗濯することができ、洗濯物の量を減らして、介護者の洗濯の負担を軽減することができる。
【００５８】
また、係着部２８とシート体１４との位置関係は前記構成に限定されるものではなく、例えば図５に示すように、布片１１のカバー１０への取り付け位置自体をずらすことにより、下層の布片１１に設ける補強部１３ｂを、上層の布片１１に設ける補強部１３ａよりも上端寄りに位置付けるようにして互いの位置をずらしても良い。そしてシート体１４により、全ての係着部２８の下面を覆うことができるよう、カバー１０の内側に取り付ける。
【００５９】
なお、この場合、シーツ類固定具を洗濯する際に、カバー１０よりシート体１４を取り外すことができるよう、カバー１０へのシート体１４の取り付けは、面ファスナー等により着脱自在に行うようにする。
【００６０】
以上、市販のシーツ類をそのまま使用できるシーツ類固定具の構成について説明したが、市販のシーツ類に少し手を加えてシーツ類の保持構造とするだけでも、同様の効果を得ることができる。例えば図６に示すように、カバー１０の頭部側の側面に、互いに位置をずらしながら、幅方向に沿って面ファスナー２６を複数縫い付けるとともに、シーツ２０や防水シート２１の裏面の上端に、面ファスナー２６と係着する面ファスナー２７を縫い付ける。
【００６１】
カバー１０側には複数の面ファスナー２６を設けたから、カバー１０には複数のシーツ２０や防水シート２１等のシーツ類を着脱自在に取り付けることができる。これにより、前記構成と同様の効果が得られる。
【００６２】
なお、面ファスナー２７は、係着部としての面ファスナー２６と互いに係着する被係着部として機能するものであるが、カバー１０にシーツ類を取り付けるための構成はこれに限らず、フックとフック孔であっても良いし、双方に設ける輪とこれを貫通する杆体であってもよい。
【図面の簡単な説明】
【００６３】
【図１】本発明のシーツ類固定具の第１実施形態を示す全体斜視図である。
【図２】シーツ類固定具をマットレスに装着した状態を示す縦断側面図である。
【図３】係着部付近を拡大して示す縦断側面図である。
【図４】本発明のシーツ類固定具の第２実施形態を示す斜視図である。
【図５】本発明のシーツ類固定具の第３実施形態を示す斜視図である。
【図６】本発明のシーツ類の保持構造の第１実施形態を示す斜視図である。
【図７】従来の介護シーツの１例を示す分解斜視図である。
【符号の説明】
【００６４】
１  上部体                      １ａ  延長帯
１ｂ  面ファスナー              ２  中間体
２ａ、２ｂ  面ファスナー        ３  下部体
３ａ  面ファスナー              ４  介護シーツ
５  ベッド                      ６  マット
７  マットパット                １０  カバー
１０ａ  開口部                  １１  布片
１２  結着部材                  １３、１３ａ、１３ｂ  補強部
１４  シート体                  １５  シート体保持袋
１６  覆い布                    １７  ギャザー部
１８  マットレス載置台          １８ａ  網目
１９  マットレス                ２０  シーツ
２１  防水シート                ２２  安全ピン
２３  エアマット                ２４ａ、２４ｂ  輪
２５  杆体                      ２６、２７  面ファスナー
２８  係着部
【要約】
【課題】背面が起伏自在のベッドのマットレスに取付ける複数のシーツ類にしわが寄りにくくするとともに、従来に比べてより確実にシーツ類の寄りを防いで床ずれを防止でき、更に、従来に比べて介護者のシーツ類の交換の負担をより軽減できるとともに、市販のシーツ類を使用することができて作成の手間が少なく済むシーツ類固定具を提供する。
【解決手段】背面が起伏自在のベッドのマットレス１９頭部に被せる袋状のカバー１０と、このカバー１０の頭部側に位置して、シーツ２０や防水シート２１等のシーツ類の上端を係着する係着部２８とを備え、該係着部２８をカバー１０の幅方向に沿って複数並列させるとともに、マットレス載置台１８に結着することにより、ベッド背面を起こした際に係着部２８及びカバー１０を介してシーツ類の上端をマットレス載置台１８に固定する索状又は帯状の結着部材１２をカバー１０の背面側に複数設ける。
【選択図】        図２
【図１】
0003668949.tif 000002
【図２】
0003668949.tif 000003
【図３】
0003668949.tif 000004
【図４】
0003668949.tif 000005
【図５】
0003668949.tif 000006
【図６】
0003668949.tif 000007
【図７】
0003668949.tif 000008